(57)【要約】【課題】絞り性能の低下を抑えながら材料を早くかつ軽く押し込めるジューサーを提供する。【解決手段】電動機４を内蔵する本体３と、前記本体３上に載置されるジュース回収容器９と、前記ジュース回収容器９内に配置されると共に前記電動機４により回転駆動される多数のおろし刃６を有するカッター板７を底部に備えた分離フィルター８と、前記ジュース回収容器９の上部開口９ａを覆う蓋１０とを備え、前記カッター板７を曲面状にしたもので、カッター板７が平面の場合に較べて同じ大きさの材料を投入した場合に切削面積が増えおろし刃６の数も増えるためおろし刃６の高さが低くても切削にかかる時間が長くなったり、材料を押し込む力が増えたりせず、絞り性能の低下を抑えながら材料を早くかつ軽く押し込むことができる。【選択図】図１
2005334011.tif 000002
【特許請求の範囲】
【請求項１】
電動機を内蔵する本体と、前記本体上に載置されるジュース回収容器と、前記ジュース回収容器内に配置されると共に前記電動機により回転駆動される多数のおろし刃を有するカッター板を底部に備えた分離フィルターと、前記ジュース回収容器の上部開口を覆う蓋とを備え、前記カッター板を曲面状にしたジューサー。
【請求項２】
カッター板を凹面状にした請求項１記載のジューサー。
【請求項３】
カッター板の中央付近のおろし刃の高さを外周部付近のおろし刃の高さより高くした請求項２に記載のジューサー。
【請求項４】
おろし刃の頂点が同じ高さとなるようにした請求項２又は３記載のジューサー。
【請求項５】
電動機を内蔵する本体と、前記本体上に載置されるジュース回収容器と、前記ジュース回収容器内に配置されると共に前記電動機により回転駆動される多数のおろし刃を有するカッター板を底部に備えた分離フィルターと、前記ジュース回収容器の上部開口を覆う蓋とを備え、前記カッター板を平面状とし、前記カッター板の中央付近の前記おろし刃の高さを外周部付近の前記おろし刃の高さより高くしたジューサー。
【発明の詳細な説明】
【技術分野】
【０００１】
本発明は、野菜や果物を切削してジュースを得るジューサーに関するもので、特にカッターに関するものである。
【背景技術】
【０００２】
従来のこの種のジューサーのカッターは、図５に示すように、平面状のカッター板１に同じ高さのおろし刃２を多数設けて形成されていた（例えば、特許文献１参照）。
【特許文献１】特公平５−２２５３０号公報
【発明の開示】
【発明が解決しようとする課題】
【０００３】
しかしながら、前記従来のジューサーのカッター構成では、おろし刃２の高さを低くすると材料が細かく切削され絞り性能が良くなるが切削に時間がかかりしかも材料を押し込む力も重くなり、またおろし刃２の高さを高くすると早く切削でき材料を軽く押し込めるが材料が粗く切削され絞り性能が低下するという課題を有していた。
【０００４】
本発明は、前記従来の課題を解決するもので、絞り性能の低下を抑えながら材料を早くかつ軽く押し込めるジューサーを提供することを目的とする。
【課題を解決するための手段】
【０００５】
前記従来の課題を解決するために、本発明のジューサーは、電動機を内蔵する本体と、前記本体上に載置されるジュース回収容器と、前記ジュース回収容器内に配置されると共に前記電動機により回転駆動される多数のおろし刃を有するカッター板を底部に備えた分離フィルターと、前記ジュース回収容器の上部開口を覆う蓋とを備え、前記カッター板を曲面状にしたもので、カッター板が平面の場合に較べて同じ大きさの材料を投入した場合に切削面積が増えおろし刃の数も増えるため、おろし刃の高さが低くても切削にかかる時間が長くなったり材料を押し込む力が増えることがなく、絞り性能の低下を抑えながら材料を早くかつ軽く押し込むことがができる。
【０００６】
また、本発明のジューサーは、電動機を内蔵する本体と、前記本体上に載置されるジュース回収容器と、前記ジュース回収容器内に配置されると共に前記電動機により回転駆動される多数のおろし刃を有するカッター板を底部に備えた分離フィルターと、前記ジュース回収容器の上部開口を覆う蓋とを備え、前記カッター板を平面状とし、前記カッター板の中央付近の前記おろし刃の高さを外周部付近の前記おろし刃の高さより高くしたもので、周速の速い部分はおろし刃の高さが低く周速の遅い部分はおろし刃の高さが高いので、絞り性能の低下を抑えながら材料を早くかつ軽く押し込め、また、カッター板が平面状なので加工が容易である。
【発明の効果】
【０００７】
本発明のジューサーは、絞り性能の低下を抑えながら材料を早くかつ軽く押し込め使い勝手をよくすることができる。
【発明を実施するための最良の形態】
【０００８】
第１の発明は、電動機を内蔵する本体と、前記本体上に載置されるジュース回収容器と、前記ジュース回収容器内に配置されると共に前記電動機により回転駆動される多数のおろし刃を有するカッター板を底部に備えた分離フィルターと、前記ジュース回収容器の上部開口を覆う蓋とを備え、前記カッター板を曲面状にしたもので、カッター板が平面の場合に較べて同じ大きさの材料を投入した場合に切削面積が増えおろし刃の数も増えるため、おろし刃の高さが低くても切削にかかる時間が長くなったり材料を押し込む力が増えることがなく、絞り性能の低下を抑えながら材料を早くかつ軽く押し込むことができる。
【０００９】
第２の発明は、特に、第１の発明のカッター板を凹面状にしたもので、カッター板の中央付近で切削された材料が遠心力で周囲に飛散するとき、外側のおろし刃に再切削されるので絞り性能を良くすることができる。
【００１０】
第３の発明は、特に、第２の発明のカッター板の中央付近のおろし刃の高さを外周部付近のおろし刃の高さより高くしたもので、周速の速い部分はおろし刃の高さが低く周速の遅い部分はおろし刃の高さが高くなることになり、絞り性能の低下を抑えながら材料を早くかつ軽く押し込める。
【００１１】
第４の発明は、特に、第２又は第３の発明のおろし刃の頂点が同じ高さとなるようにしたもので、絞り性能の低下を抑えながら材料を早くかつ軽く押し込めるとともに材料押し込み棒の底面を水平にできるので、材料押し込み棒を材料投入口に挿入する時に方向を気にする必要がなく、使用勝手が良い。
【００１２】
第５の発明は、電動機を内蔵する本体と、前記本体上に載置されるジュース回収容器と、前記ジュース回収容器内に配置されると共に前記電動機により回転駆動される多数のおろし刃を有するカッター板を底部に備えた分離フィルターと、前記ジュース回収容器の上部開口を覆う蓋とを備え、前記カッター板を平面状とし、前記カッター板の中央付近の前記おろし刃の高さを外周部付近の前記おろし刃の高さより高くしたもので、周速の速い部分はおろし刃の高さが低く周速の遅い部分はおろし刃の高さが高いので、絞り性能の低下を抑えながら材料を早くかつ軽く押し込め、また、カッター板が平面状なので加工が容易である。
【００１３】
以下、本発明の実施の形態について、図面を参照しながら説明する。なお、この実施の形態によって本発明が限定されるものではない。
【００１４】
（実施の形態１）
図１は、本発明の第１の実施の形態におけるジューサーの縦断面図である。
【００１５】
図１において、ジューサーの本体３は電動機４を内蔵している。この電動機４と連結されたコネクタ５には、多数のおろし刃６を設けたカッター板７を底部に設けた分離フィルター８が着脱自在に取り付けられ、分離フィルター８が回転駆動するようになっている。また、本体３の上部にはジュース回収容器９が設けられ、さらに、その上部にジュース回収容器９の上部開口９ａを覆う蓋１０を設けている。
【００１６】
蓋１０には材料投入口１１が設けられ、材料投入口１１から材料を投入し、材料押し込み棒１２で回転するカッター板７にその材料を供給して切削する。切削された材料は、分離フィルター８を通過するジュースと分離フィルター８の上部開口より飛散する粕とに分離される。
【００１７】
カッター板７は曲面状に形成され、材料投入口１１、材料押し込み棒１２の下端もカッター板７の曲面に沿うように曲面状に形成されている。
【００１８】
上記構成により、カッター板７が従来の平面の場合に較べて同じ大きさの材料を投入した場合に、材料の切削面積が増えて、材料をおろすおろし刃６の数も増えるためおろし刃６の高さが低くても切削にかかる時間が長くなったり、材料を押し込む力が増えることなく、絞り性能の低下を抑えながら材料を早くかつ軽く押し込めるようになる。
【００１９】
（実施の形態２）
図２は、本発明の第２の実施の形態におけるジューサーの縦断面図である。なお、上記第１の実施の形態と同一部分については同一符号を付しその説明を省略する。
【００２０】
本実施の形態は、図２に示すように、多数のおろし刃１３を設けたカッター板１４を凹面状に形成すると共に、材料投入口１５、材料押し込み棒１６のそれぞれの下端もカッター板１４に沿った曲面状にしている。
【００２１】
本実施の形態によれば、上記第１の実施の形態と同様にカッター板１４が平面の場合に較べて同じ大きさの材料を投入した場合に切削面積が増え、おろし刃１３の数も増えるためおろし刃１３の高さが低くても切削にかかる時間が長くなったり、材料を押し込む力が増えることなく、絞り性能の低下を抑えながら材料を早くかつ軽く押し込めるとともに、カッター板１４の中央付近で切削された材料が遠心力で周囲に飛散するとき外側のおろし刃１４に再切削されることから絞り性能を良くすることができる。
【００２２】
（実施の形態３）
図３は、本発明の第３の実施の形態におけるジューサーの縦断面図である。なお、上記第１の実施の形態と同一部分については同一符号を付しその説明を省略する。
【００２３】
本実施の形態は、図３に示すように、カッター板１７は平面状で、おろし刃１８の高さを、外周部付近から中央付近に向かって徐々に高くし、かつ材料投入口１９、材料押し込み棒２０の下端もおろし刃１８の先端に沿うように傾斜させたものである。
【００２４】
上記構成により、周速の速い部分はおろし刃１８の高さが低く周速の遅い部分はおろし刃１８の高さが高いので、絞り性能の低下を抑えながら材料を早くかつ軽く押し込むことができる。
【００２５】
（実施の形態４）
図４は本発明の第４の実施の形態におけるジューサーの縦断面図である。なお、上記第２の実施の形態と同一部分については同一符号を付しその説明を省略する。
【００２６】
本実施の形態は、図４に示すように、凹面状のカッター板２１に設けたおろし刃２２の頂点が同じ高さとなるようにカッター板２１の中央付近のおろし刃２２の高さを外周部付近のおろし刃２２の高さより高くし、材料投入口２３、材料押し込み棒２４の底面を平面状にしたもので、絞り性能の低下を抑えながら材料を早くかつ軽く押し込めると共に材料押し込み棒２４の底面を水平にできるので、材料押し込み棒２４を材料投入口１１に挿入する時に材料押し込み棒２４の方向を気にする必要が無く、使用勝手が良いものである。
【産業上の利用可能性】
【００２７】
以上のように本発明にかかるジューサーは、絞り性能の低下を抑えながら材料を早くかつ軽く押し込め使い勝手が良いもので、おろし刃や切削刃を有するカッター板を回転させて、野菜、果物、チーズなどの食物や他の材料を切削する各種機器、装置等に広く適用できるものである。
【図面の簡単な説明】
【００２８】
【図１】本発明の実施の形態１におけるジューサーの縦断面図
【図２】本発明の実施の形態２におけるジューサーの縦断面図
【図３】本発明の実施の形態３におけるジューサーの縦断面図
【図４】本発明の実施の形態４におけるジューサーの縦断面図
【図５】従来のジューサーの縦断面図
【符号の説明】
【００２９】
３  本体
４  電動機
６、１３、１８、２２  おろし刃
７、１４、１７、２１  カッター板
８  分離フィルター
９  ジュース回収容器
９ａ  上部開口
１０  蓋
【図１】
2005334011.tif 000003
【図２】
2005334011.tif 000004
【図３】
2005334011.tif 000005
【図４】
2005334011.tif 000006
【図５】
2005334011.tif 000007